(57)【要約】【課題】帳票の読取対象領域に相当する画像領域に、捺印による印影の印影画像を有する帳票画像を用いて文字認識を行う。【解決手段】帳票画像取り込み部１１０と、印影画像探索／除去部１１２と、文字認識部１１４と、画像処理データ出力部１１６とを具える。帳票画像取り込み部によって帳票処理システムへ取り込まれた、帳票の帳票画像に対して、印影画像探索／除去部が捺印の印影を探索し、かつ該印影を除去する。その後、文字認識部が印影除去帳票画像に対して文字認識処理を行って認識結果を出力し、続いて、画像処理データ出力部が、帳票画像もしくは印影除去帳票画像と、認識結果とをを出力する。【選択図】      図１
2004280530.tif 000002
【特許請求の範囲】
【請求項１】
捺印された印影を含む読取対象領域を有する帳票から帳票画像の取り込みを行う帳票画像取り込み部と、
取り込まれた前記帳票画像中に存在する、前記印影の印影画像を探索し、かつ該印影画像の除去を行う印影画像探索／除去部と、
前記帳票画像取り込み部から前記帳票画像が格納されるとともに、前記帳票画像から前記印影画像が除去されている印影除去帳票画像が、前記印影画像探索／除去部より格納される画像格納部と、
該画像格納部から読み出した前記印影除去帳票画像中の、前記帳票の読取対象領域に相当する画像領域に対して文字認識処理を行って認識結果を出力する文字認識部と、
前記帳票画像及び前記印影除去帳票画像のいずれか一方もしくは双方を前記画像格納部から取り出して出力するとともに前記文字認識部から入力される認識結果を出力する画像処理データ出力部と
を具えることを特徴とする帳票処理システム。
【請求項２】
請求項１に記載の帳票処理システムにおいて、
前記帳票画像取り込み部は、画像入力部と画像取得部とを有していて、
前記画像入力部から入力される前記帳票画像を、前記画像取得部を介して前記画像格納部に格納することによって、前記帳票画像の取り込みを行う構成としてあるとともに、
前記印影画像探索／除去部は、前記画像格納部から前記帳票画像を読み出して、前記印影画像の探索及び除去を行うこと
を特徴とする帳票処理システム。
【請求項３】
請求項２に記載の帳票処理システムにおいて、
前記印影画像探索／除去部は、前記印影画像の探索及び除去を、前記印影の形状に関する情報もしくは前記印影の色彩に関する情報に基づいて行うこと
を特徴とする帳票処理システム。
【請求項４】
請求項２に記載の帳票処理システムにおいて、
前記画像取得部は、前記画像入力部から入力される前記帳票画像に対して２値化処理を行って２値化帳票画像を出力し、
及び前記印影画像探索／除去部は、前記２値化帳票画像に対して、前記印影画像の探索及び除去を、前記印影の形状に関する情報に基づいて行うこと
を特徴とする帳票処理システム。
【請求項５】
請求項１〜４のいずれか一項に記載の帳票処理システムにおいて、
前記画像処理データ出力部から出力される、前記帳票画像または前記印影除去帳票画像と、前記画像処理データ出力部から出力される前記認識結果とを照合し、該認識結果の正誤について確認して確認結果を出力する画像処理データ確認部が設けられていること
を特徴とする帳票処理システム。
【請求項６】
請求項２〜４のいずれか一項に記載の帳票処理システムにおいて、
前記画像入力部を含む帳票画像入力装置と、
該帳票画像入力装置に接続される帳票画像処理装置とを具え、
該帳票画像処理装置は、
前記画像取得部と、前記印影画像探索／除去部と、前記文字認識部と、前記画像処理データ出力部とを含む中央処理部、及び前記画像格納部を有すること
を特徴とする帳票処理システム。
【請求項７】
請求項１〜４のいずれか一項に記載の帳票処理システムにおいて、
前記帳票画像取り込み部を含む帳票画像入力装置と、
該帳票画像入力装置に接続される帳票画像処理装置とを具え、
該帳票画像処理装置は、
前記印影画像探索／除去部と、前記文字認識部と、前記画像処理データ出力部とを含む中央処理部、及び前記画像格納部を有すること
を特徴とする帳票処理システム。
【請求項８】
請求項７に記載の帳票処理システムにおいて、
前記帳票画像入力装置に、さらに、
前記印影画像探索／除去部と構成及び機能が同一の他の印影画像探索／除去部、
前記文字認識部と構成及び機能が同一の他の文字認識部、
前記画像処理データ出力部と構成及び機能が同一の他の画像処理データ出力部、
及び前記画像格納部と構成及び機能が同一の他の画像格納部
を設けてあることを特徴とする帳票処理システム。
【請求項９】
請求項６〜８のいずれか一項に記載の帳票処理システムにおいて、
前記画像処理データ出力部から出力される、前記帳票画像または前記印影除去帳票画像と、前期画像処理データ出力部から出力される前記認識結果とを照合し、該認識結果の正誤について確認して確認結果を出力する画像処理データ確認部が、前記帳票画像処理装置に接続して設けられていること
を特徴とする帳票処理システム。
【請求項１０】
帳票画像取り込み部と、印影画像探索／除去部と、画像格納部と、文字認識部と、画像処理データ出力部とを具える帳票処理システムにおいて帳票処理を行うにあたり、
（ａ）前記帳票画像取り込み部によって、捺印された印影を含む読取対象領域を有する帳票から帳票画像を入力させて、入力された該帳票画像を前記画像格納部へ格納することによって、帳票画像の取り込みを行い、
（ｂ）前記印影画像探索／除去部によって、取り込まれた前記帳票画像中に存在する、前記印影の印影画像を探索し、かつ該印影画像を除去するとともに、前記帳票画像から前記印影画像が除去されている印影除去帳票画像を前記画像格納部に格納し、
（ｃ）前記文字認識部によって、前記画像格納部から前記印影除去帳票画像を読み出し、かつ該読み出した前記印影除去帳票画像中の、前記帳票の読取対象領域に相当する画像領域に対して文字認識処理を行って認識結果を出力し、
（ｄ）前記画像処理データ出力部によって、前記帳票画像及び前記印影除去帳票画像のいずれか一方もしくは双方を前記画像格納部から取り出して出力するとともに、前記文字認識部から入力される認識結果を出力すること
を特徴とする帳票処理方法。
【請求項１１】
請求項１０に記載の帳票処理方法において、
前記帳票画像取り込み部に、画像入力部と画像取得部とを設けておいて、
前記帳票画像の取り込みを、前記画像入力部から前記帳票処理システムに前記帳票画像を入力し及び該入力された前記帳票画像を前記画像取得部を介して前記画像格納部に格納することによって行い、及び
前記印影画像の探索及び除去を、前記画像格納部から読み出された前記帳票画像について行うこと
を特徴とする帳票処理方法。
【請求項１２】
請求項１１に記載の帳票処理方法において、
前記印影画像の探索及び除去を、前記印影の形状に関する情報もしくは前記印影の色彩に関する情報に基づいて行うこと
を特徴とする帳票処理方法。
【請求項１３】
請求項１１に記載の帳票処理方法において、
前記画像取得部によって、前記画像入力部から入力される前記帳票画像に対して２値化処理を行って２値化帳票画像を前記画像格納部に格納し、及び
前記印影画像の探索及び除去を、前記２値化帳票画像に対して、前記印影の形状に関する情報に基づいて、行うこと
を特徴とする帳票処理方法。
【請求項１４】
請求項１０〜１３のいずれか一項に記載の帳票処理方法において、
予め、前記帳票処理システムに画像処理データ確認部を設けておいて、
該画像処理データ確認部において、前記（ｄ）の処理の後、前記画像処理データ出力部から出力される、前記帳票画像または前記印影除去帳票画像と、前記画像処理データ出力部から出力される前記認識結果とを照合し、該認識結果の正誤について確認して確認結果を出力すること
を特徴とする帳票処理方法。
【発明の詳細な説明】
【０００１】
【発明の属する技術分野】
この発明は、光学式文字読み取り装置（Ｏｐｔｉｃａｌ  ＣｈａｒａｃｔｏｒＲｅａｄｅｒ（オプティカル・キャラクター・リーダー）（以下、ＯＣＲと略す））を用いる帳票処理システム及び帳票処理方法に関する。
【０００２】
【従来の技術】
従来公知の帳票処理システムでは、帳票が有する読取対象領域に対して、ＯＣＲを用いて文字認識が行われる。この文字認識では、ＯＣＲには、帳票が有する情報が帳票画像として入力される。この帳票画像には、読取対象領域の情報が含まれている。そして、ＯＣＲでは、入力された帳票画像における読取対象領域に相当する画像領域に対して、文字認識が行われる。
【０００３】
【特許文献１】
特開２００２−１２３７９４号公報
【特許文献２】
特開２００２−２６９５４７号公報
【特許文献３】
特開２００２−３０４６３１号公報
【０００４】
【発明が解決しようとする課題】
ここで、帳票の読取対象領域に捺印による印影が存在する場合、この帳票の帳票画像中には、読取対象領域に成された印影の印影画像が存在する。この帳票の読取対象領域に対して、上述したように、ＯＣＲにおいて文字認識を行うと、当該ＯＣＲによって印影は文字と誤って認識されてしまう。その結果、帳票の読取対象領域に対する文字認識が正確に行われないという問題が生じる。
【０００５】
よって、従来は、例えば、帳票に予め以下のような処理をし、しかる後ＯＣＲで文字認識を行っていた。すなわち、帳票の読取対象領域に含まれる印影の印影画像を、前述した帳票画像中に存在させないようにするため、予め、帳票に印影の色と同一の色をドロップアウトする処理を行い、この処理後に、帳票の帳票画像をＯＣＲに入力していた。
【０００６】
しかし、前述したドロップアウト処理を行った場合、帳票画像には、読取対象領域に含まれた印影の印影画像は存在しない。よって、上述した文字認識を行う他、例えば、何らかの確認手段を用いて、帳票画像が有する、帳票の読取対象領域の印影について、確認を行うことができなくなってしまう。帳票における読取対象領域の印影の確認は、通常、広く行われていることから、上述したような従来の帳票処理システムは、利便性の高いシステムということはできない。
【０００７】
この発明は、以上説明したような問題点に鑑み成されたものであり、従ってこの発明の目的は、帳票の読取対象領域に相当する画像領域に、印影画像を有する帳票画像に対して文字認識を行う帳票処理システム及び帳票処理方法を提供することにある。
【０００８】
【発明を解決するための手段】
この目的を達成するため、この発明の帳票処理システムによれば、帳票画像取り込み部と、印影画像探索／除去部と、画像格納部と、文字認識部と、画像処理データ出力部との各処理部を具えている。この発明の帳票処理システムの各処理部は、以下の処理動作を行う。
【０００９】
まず、（ａ）帳票画像取り込み部は、捺印された印影を含む読取対象領域を有する帳票から帳票処理システムに帳票画像を入力させて、入力されたこの帳票画像を画像格納部へ格納することによって、帳票画像の取り込みを行う。
【００１０】
次に、（ｂ）印影画像探索／除去部は、帳票処理システムに取り込まれた帳票画像中の、帳票の読取対象領域に相当する画像領域に存在する、印影の印影画像を探索し、かつこの印影画像を除去する。印影画像探索／除去部によって、帳票画像から印影画像が除去されている印影除去帳票画像は、画像格納部に格納される。
【００１１】
その後、（ｃ）文字認識部は、画像格納部から印影除去帳票画像を読み出し、かつ読み出した印影除去帳票画像中の、帳票の読取対象領域に相当する画像領域に対して文字認識処理を行って認識結果を出力する。
【００１２】
しかる後、（ｄ）画像処理データ出力部は、文字認識処理後に、帳票画像及び印影除去帳票画像のいずれか一方もしくは双方を画像格納部から取り出して出力するとともに、文字認識部から入力される認識結果を出力する。
【００１３】
この発明の帳票処理システムにＯＣＲを用いた場合、ＯＣＲでは、上述した（ｂ）の処理において、印影画像探索／除去部が、帳票画像中の、帳票の読取対象領域に相当する画像領域に存在する、印影の印影画像を探索し、かつ除去した後、上述した（ｃ）の処理によって、印影除去帳票画像を用いて文字認識部で文字認識が行われる。その結果、ＯＣＲでは、帳票の読取対象領域の印影が文字と誤って認識される事態が生じないため、文字認識を正しく行うことができる。
【００１４】
また、この場合、ＯＣＲでは、上述した（ｄ）の処理で、画像処理データ出力部から、認識結果及び印影除去帳票画像とともに、帳票画像を得ることが可能である。従って、この発明の帳票処理システムによれば、帳票の読取対象領域の印影の確認を、画像処理データ出力部から、当該帳票に対応する帳票画像を得ることによって行うことも可能である。
【００１５】
すなわち、この発明の帳票処理システムは、読取対象領域に印影を有する帳票の帳票画像に対して文字認識を行うことができ、かつ帳票の読取対象領域の印影の確認も可能な利便性の高いシステムということができる。
【００１６】
【発明の実施の形態】
以下、図を参照して、この発明の実施の形態について説明する。また、以下の説明に用いる各図において、同様な構成要素については、同一の符号を付して示し、重複する説明を省略することもある。
【００１７】
［第１の実施の形態］
この発明の帳票処理システムに係る第１の実施の形態について説明する。
【００１８】
１．第１の実施の形態の帳票処理システムの構成
まず、この実施の形態の帳票処理システムの構成について説明する。図１を参照して、この実施の形態の帳票処理システム１００の構成について説明する。図１には、帳票処理システム１００の構成例を示してある。この実施の形態の帳票処理システム１００は、帳票画像入力装置１０２と、帳票画像処理装置１０４とを有している。
【００１９】
図１に示すように、帳票画像入力装置１０２は画像入力部１１８を有している。この画像入力部１１８は、好ましくは、帳票画像入力装置１０２の機能である。また、この実施の形態では、帳票画像入力装置１０２として、スキャナ等の画像入力手段を用いて構成するのが好適である。
【００２０】
帳票画像処理装置１０４は、帳票画像入力装置１０２と接続されており、かつ画像取得部１２０と、印影画像探索／除去部１１２と、文字認識部１１４と、画像処理データ出力部１１６とを含む中央処理部１０６、及び画像格納部１０８を有している。
【００２１】
帳票画像処理装置１０４は、パソコン等のコンピュータを用いて構成されるのが好ましい。また、中央処理部１０６として、帳票画像処理装置１０４が有するＣＰＵを用いるのが好適である。中央処理部１０６が有する、画像取得部１２０と、印影画像探索／除去部１１２と、文字認識部１１４と、画像処理データ出力部１１６のそれぞれは、当該中央処理部１０６における機能手段であり、各機能は、プログラムで実行される。尚、このプログラムは、図１には図示しない帳票画像処理装置１０４のメモリ（ＲＯＭ等）に格納されているのが好ましい。
【００２２】
また、帳票画像処理装置１０４の有する画像格納部１０８は、所望の格納手段を用いて構成される。この格納手段はＲＯＭ又はＲＡＭ等のメモリとするのが望ましい。
【００２３】
ここで、この実施の形態によれば、図１に示すように、帳票画像取り込み部１１０は、帳票画像入力装置１０２の画像入力部１１８と、帳票画像処理装置１０４の画像取得部１２０とを有している。また、図１を参照して説明したこの実施の形態の帳票処理システム１００を実施するにあたり、帳票画像入力装置１０２と、帳票画像処理装置１０４とを含むＯＣＲを用いるのが好ましい。
【００２４】
２．第１の実施の形態の帳票処理システムの動作
次に、この実施の形態の帳票処理システム１００の動作について説明するが、まず、この実施の形態の帳票の構成例について、図３を参照して説明する。図３には、この実施の形態の帳票３００の構成例を示してある。図３に示すように、帳票３００は書面であり、この書面は、銀行の小切手などのように、文字が記載された紙面等を有している。尚、この実施の形態の帳票の構成は、図３に示す帳票３００の構成に限定されず、所望の書面を帳票として用いることができる。
【００２５】
図３に示す帳票３００のフォームは、点線枠３０２及び３２０で囲まれる領域に記載されている複数の文字と、７つの実線枠のそれぞれによって囲まれる領域３０４、３０６、３０８、３１０、３１２、３１４、及び３１８とによって構成されている。図３において、これら７つの実線枠のそれぞれによって囲まれる領域３０４、３０６、３０８、３１０、３１２、３１４、及び３１８を、それぞれ、第１の領域３０４、第２の領域３０６、第３の領域３０８、第４の領域３１０、第５の領域３１２、第６の領域３１４、第７の領域３１８として示してある。図３に示すように、帳票３００の、第１〜第７の領域３０４、３０６、３０８、３１０、３１２、３１４、及び３１８のそれぞれには複数の文字が記載される。
【００２６】
図１を参照して説明した帳票画像入力装置１０２及び帳票画像処理装置１０４を含むＯＣＲを用いて帳票３００に対して文字認識を行う場合、この文字認識の対象となる領域、すなわち読取対象領域が帳票３００には存在する。図３に示す第１〜第７の領域３０４、３０６、３０８、３１０、３１２、３１４、及び３１８のそれぞれが読取対象領域と成り得るが、ここでは、第６の領域３１４を読取対象領域とする例について説明する。第６の領域３１４は、図３に示すように捺印により得られた印影３１６を有している。
【００２７】
次に、この実施の形態の帳票処理システム１００の動作について、図２を参照して説明する。図２には、この実施の形態の帳票処理システム１００の動作を説明するためのフローチャートを示してある。尚、図２に示すフローチャートにおいて、各処理のステップを記号Ｓに番号を添えて示してある。
【００２８】
ここで、この実施の形態の帳票処理システム１００における帳票３００に対する処理、すなわち文字認識は、帳票画像入力装置１０２及び帳票画像処理装置１０４によって行われる。以下に説明する、帳票処理システム１００の動作では、帳票画像入力装置１０２及び帳票画像処理装置１０４を含むＯＣＲを用いて帳票３００に対する文字認識が行われるとする。
【００２９】
（Ｓ２０１）まず、帳票画像入力装置１０２によって、帳票処理システム１００への帳票３００の帳票画像の入力が行われる。具体的に、この帳票画像の入力は、帳票画像入力装置１０２の画像入力部１１８が、帳票画像処理装置１０４に帳票３００の帳票画像を入力することによって行われる。
【００３０】
ここで、帳票画像は、帳票に記載された文字等の画像情報である。よって、帳票３００の帳票画像には、帳票３００のフォーム画像、すなわち図３に示す点線枠３０２及び３２０で囲まれる領域に記載されている複数の文字の文字画像と、同図における７つの実線枠のそれぞれによって囲まれる領域３０４、３０６、３０８、３１０、３１２、３１４、及び３１８の画像とが含まれている。従って、帳票３００の帳票画像は、第６の領域３１４に捺印された印影３１６の画像すなわち印影画像を有している。
【００３１】
また、帳票画像には、帳票３００に記載された文字の色、この帳票３００の第６の領域３１４が有する印影３１６の色、及び帳票３００における文字や印影３１６の記載面そのものの色等の色情報も含まれている。
【００３２】
（Ｓ２０２）次に、帳票画像処理装置１０４に入力された帳票画像は、画像取得部１２０が、この帳票画像を画像格納部１０８に格納することによって取得する。また、取得した帳票画像に対して、帳票３００の読取対象領域３１４に相当する画像領域の指定が行われる。この指定は、以下の手順によって行われるのが好ましい。
【００３３】
この実施の形態の帳票画像処理装置１０４には、図１に示すように、表示手段１２２及び入力手段１２４が接続されているのが好ましい。画像取得部１２０は、取得した帳票画像を中央処理部１０６から表示手段１２２に出力する。表示手段１２２は、中央処理部１０６から入力された帳票画像を、従来公知の手段によって表示する。表示手段１２２によって表示された帳票画像に対して、入力手段１２４が、帳票３００の読取対象領域３１４に相当する画像領域を選択する。
【００３４】
入力手段１２４としては、従来既知のポインティングデバイス（例えばマウス等）を用いるのが好ましく、表示手段１２２によって表示された帳票画像をオペレータ（人）が見ながら、入力手段１２４を操作するのが望ましい。前述した画像領域の選択は、従来よりよく知られているように、入力手段１２４が、この画像領域の位置情報を座標として、中央処理部１０６に出力することによって行われるのが好適である。
【００３５】
入力手段１２４より中央処理部１０６に入力される、帳票画像の、帳票３００の読取対象領域３１４に相当する画像領域の位置情報は、画像取得部１２０が受け取って、当該帳票画像と対応させて画像格納部１０８に格納する。
【００３６】
（Ｓ２０３）その後、印影画像探索／除去部１１２は、画像格納部１０８から帳票３００の帳票画像を読み出して、この帳票画像に対して印影３１６の印影画像を探索する。このとき、印影画像探索／除去部１１２は、帳票３００の帳票画像、及びこの帳票画像における、帳票３００の読取対象領域３１４に相当する画像領域の位置情報を読み出す。そして、印影画像探索／除去部１１２は、この位置情報によって指定される帳票３００の帳票画像中の画像領域を印影画像探索領域とし、この領域に対して印影３１６の印影画像を探索する。
【００３７】
ここで、この実施の形態によれば、好ましくは、この印影画像の探索は、従来公知の印影画像探索技術のうち所望の技術を用いて行われる。従来よりよく知られている印影画像探索技術として、例えば、上記特許文献１（特開２００２−１２３７９４号公報）、特許文献２（特開２００２−２６９５４７号公報）、及び特許文献３（特開２００２−３０４６３１号公報）にそれぞれ開示された技術がある。
【００３８】
従来既知の印影画像探索技術には、印影の色彩に関する情報及び印影の形状に関する情報のいずれか一方の情報に基づいて、捺印による印影の印影画像の探索を行う技術がある。特許文献１に開示された印影画像探索技術は、印影の色彩に関する情報に基づいて捺印による印影の印影画像の探索を行う。ここで、既に説明したように、帳票画像には色情報が含まれている。特許文献１に開示された印影画像探索技術では、帳票画像の色情報、すなわち、帳票の文字の色及び印影の色のそれぞれの色情報の違いに基づいて、印影画像を探索する。
【００３９】
特許文献２及び特許文献３に開示されたそれぞれの印影画像探索技術は、印影の形状に関する情報に基づいて捺印による印影の印影画像の探索を行う。特許文献２に開示の技術によれば、印影探索領域の形状と、印影の形状のそれぞれの情報に基づいて印影画像を探索する。また、特許文献３に開示の技術では、帳票上の印影探索領域に存在する印影の形状に基づいて印影画像の探索が行われる。
【００４０】
この実施の形態では、好ましくは、上述した、印影の色彩に関する情報もしくは印影の形状に関する情報に基づいて行われる従来既知の印影画像探索技術を用いて、印影画像探索／除去部１１２によって、印影３１６の印影画像を探索する。印影画像の探索の結果、印影画像探索／除去部１１２が印影画像を検出した後、後述するステップＳ２０４の処理が行われる。
【００４１】
ところで、この実施の形態の帳票処理システム１００によれば、図３に示すように、捺印による印影３１６が形成された読取対象領域３１４を有する帳票３００のほか、印影が無い読取対象領域を有する帳票を用いることも可能である。この読取対象領域を印影探索領域とすれば、当該帳票の帳票画像には、この印影探索領域に対応する印影画像探索領域が含まれている。この印影画像探索領域に対して、印影画像探索／除去部１１２が、上述したような手順に従って印影画像を探索する場合、印影画像は検出されない。このような場合、続いて、後述するステップＳ２０５の処理が行われる。
【００４２】
（Ｓ２０４）続いて、印影画像探索／除去部１１２によって、帳票３００の帳票画像から印影３１６の印影画像が除去される。印影画像探索／除去部１１２は、印影画像の除去を、以下に述べる従来公知の方法によって行うのが好ましい。印影画像探索／除去部１１２は、好ましくは、帳票３００の帳票画像が有する色情報に基づいて、捺印による印影３１６を形成する画素のそれぞれの色を、当該帳票３００における文字及び印影３１６の記載面（すなわち背景）の色と同一の色とすることによって行う。尚、前述した手順に従って、印影画像が除去された、帳票３００の帳票画像が印影除去帳票画像である。この印影除去帳票画像は、印影３１６と背景が区別できない状態にされた帳票３００の入力画像に相当する。この印影除去帳票画像は、印影画像探索／除去部１１２によって画像格納部１０８に格納される。
【００４３】
ここで、図４に、帳票３００の印影除去帳票画像４００の構成例を示す。この印影除去帳票画像４００は、帳票３００の帳票画像と同様の構成を有する。よって、図４に示す印影除去帳票画像４００について、帳票３００の帳票画像と同様の構成について、重複する説明は省略する。図４に示すように、印影除去帳票画像４００において、帳票３００の読取対象領域３１４に相当する画像領域である印影画像探索領域４０２から印影３１６の印影画像は除去されており、この印影画像探索領域４０２には、文字認識の対象となる文字の画像が存在している。
【００４４】
（Ｓ２０５）その後、図４を参照して説明した印影除去帳票画像４００における、印影画像探索領域４０２と同一の領域に対して、文字認識部１１４によって文字認識処理が行われる。文字認識部１１４は、画像格納部１０８から印影除去帳票画像４００を読み出し、この読み出した印影除去帳票画像４００に対して文字認識処理を行う。
【００４５】
文字認識部１１４による文字認識処理は、従来公知の方法に従って行われるのが好ましい。従来よりよく知られている文字認識処理は、例えば、上記特許文献１に開示されている。尚、文字認識部１１４は、図１には図示しないメモリに照合データを有しており、前述した文字認識処理を、この照合データと、印影画像探索領域４０２に含まれる文字画像の情報とを照合することによって行うのが望ましい。
【００４６】
文字認識処理の結果、文字認識部１１４から認識結果が出力される。図４に示すように、印影除去帳票画像４００の印影画像探索領域４０２には、次の３種類の文字画像、「金額」、「１２０００」、及び「円」が存在する。これらの文字画像のうち「１２０００」は、印影画像探索領域４０２において、枠画像４０４で囲まれる画像領域に存在する。図４に示すように、この画像領域は４つの領域４０４ａ、４０４ｂ、４０４ｃ、及び４０４ｄを有しており、文字画像「１２０００」は、領域４０４ｃ中に存在する文字画像「１２」、及びこの領域４０４ｃに隣接する領域４０４ｄ中に存在する「０００」によって構成される。
【００４７】
ここでは、印影画像探索領域４０２において、枠画像４０４で囲まれる画像領域に存在する文字画像「１２０００」を、文字認識部１１４における文字認識の対象とする。このとき、文字認識部１１４からは、認識結果として「１２０００」がデータとして出力される。
【００４８】
（Ｓ２０６）続いて、文字認識部１１４から出力された認識結果「１２０００」は、画像処理データ出力部１１６に入力される。画像処理データ出力部１１６は、入力された認識結果「１２０００」を出力するとともに、帳票３００の帳票画像及び印影除去帳票画像４００のいずれか一方もしくは双方を、画像格納部１０８から取り出して出力する。その後、この実施の形態における帳票処理システム１００において、帳票３００の読取対象領域３１４に対する文字認識が終了される。
【００４９】
よって、この実施の形態によれば、（イ）画像処理データ出力部１１６から、認識結果「１２０００」及び帳票３００の帳票画像が出力される場合、（ロ）画像処理データ出力部１１６から、認識結果「１２０００」及び印影除去帳票画像４００が出力される場合、及び（ハ）画像処理データ出力部１１６から、認識結果「１２０００」と、帳票３００の帳票画像及び印影除去帳票画像４００が出力される場合の３つの場合がある。これら（イ）〜（ハ）の３つの場合のうち、いずれの場合を選択するかは、当業者が成し得る設計事項である。
【００５０】
この実施の形態の帳票処理システム１００によれば、上述したように、印影画像探索／除去部１１２が、帳票３００の帳票画像中の印影画像を探索し、かつ除去した後、印影除去帳票画像４００を用いて文字認識部１１４で文字認識が行われる。その結果、帳票画像入力装置１０２及び帳票画像処理装置１０４を含むＯＣＲでは、帳票３００の読取対象領域３１４における捺印による印影３１６が文字と誤って認識される事態が生じないため、文字認識を正しく行うことができる。
【００５１】
また、この実施の形態によれば、帳票画像入力装置１０２及び帳票画像処理装置１０４を含むＯＣＲでは、既に説明したように、画像処理データ出力部１１６から、認識結果及び印影除去帳票画像４００とともに、帳票画像を得ることが可能である。従って、この実施の形態の帳票処理システム１００によれば、帳票３００の読取対象領域３１４の印影３１６の確認を、画像処理データ出力部１１６から、当該帳票３００の帳票画像を得ることによって行うことも可能である。
【００５２】
すなわち、この実施の形態の帳票処理システム１００は、読取対象領域３１４に印影３１６を有する帳票３００の帳票画像に対して文字認識を行うことができ、かつ帳票３００の読取対象領域３１４の印影３１６の確認も可能な利便性の高いシステムということができる。
【００５３】
［第２の実施の形態］
この発明の帳票処理システムに係る第２の実施の形態について説明する。この実施の形態では、第１の実施の形態の帳票処理システム１００において、図２を参照して説明したステップＳ２０２の処理で、画像取得部１２０によって以下の処理が行われる。ステップＳ２０２の処理において、画像取得部１２０は、帳票画像処理装置１０４に入力された帳票画像に対して２値化処理を行った後、２値化処理がされている帳票画像である２値化帳票画像を画像格納部１０８に格納する。この実施の形態によれば、画像取得部１２０が行う２値化処理は、以下に説明する従来公知の方法であるのが好ましい。
【００５４】
既に説明したように、帳票画像には色情報が含まれている。第１の実施の形態によれば、この色情報には、帳票３００が有する全ての色の情報、すなわち、帳票３００の文字及び印影３１６等の色の情報と、これら文字及び印影３１６等の記載面すなわち背景の色の情報が含まれている。従来よりよく知られているように、２値化処理では、帳票の記載面の色を第１の色とし、この記載面に記載されている文字及び印影等の色を第２の色として、第１の色に関する情報、及び第２の色に関する情報を帳票画像の色情報とする。
【００５５】
２値化処理後、２値化帳票画像において、帳票３００の文字の色と印影３１６の色は、同一の第２の色としてある。従って、この実施の形態によれば、図２を参照して説明したステップＳ２０３では、好ましくは、印影画像探索／除去部１１２は、帳票画像に対する、捺印による印影３１６の印影画像の探索を、この印影の形状に関する情報に基づいて行う。
【００５６】
この実施の形態の帳票処理システムでは、第１の実施の形態と同様の作用及び効果を得ることができる。また、この実施の形態の帳票処理システムによれば、２値化処理を行うことによって、２値化帳票画像が有する色情報を第１及び第２の色の情報を含む情報とするため、第１の実施の形態の帳票画像と比較して、２値化帳票画像のデータ量は少なくすることができる。よって、この実施の形態の帳票処理システムでは、第１の実施の形態と比較して、画像格納部１０８により多くの帳票画像、及びこの帳票画像に対応する印影除去帳票画像を格納することができる。すなわち、この実施の形態の帳票処理システムは、第１の実施の形態と比較して、より多くの帳票の処理を行うことができる。従って、この実施の形態によれば、第１の実施の形態と比較して、帳票処理システムにおける帳票の処理をより効率的に行うことができる。
【００５７】
［第３の実施の形態］
この発明の帳票処理システムに係る第３の実施の形態について説明する。この実施の形態によれば、第１及び第２の実施の形態の帳票処理システムにおいて、画像処理データ確認部を、帳票画像処理装置１０４に接続して設けてある。図５には、この実施の形態の帳票処理システム５００について、帳票画像処理装置１０４に画像処理データ確認部１２６を接続してある構成を示してある。
【００５８】
この画像処理データ確認部１２６は、画像処理データ出力部１１６から出力される帳票画像または印影除去帳票画像と、画像処理データ出力部１１６から出力される認識結果とを照合し、この認識結果の正誤について確認して確認結果を出力する。この実施の形態によれば、画像処理データ確認部１２６は、帳票画像処理装置１０４にネットワークを介して接続されるサーバを用いて構成されているのが好ましい。
【００５９】
よって、この実施の形態では、第１及び第２の実施の形態と同様の作用及び効果を得ることが出来る。また、この実施の形態によれば、帳票画像処理装置１０４から出力される認識結果の正誤について、画像処理データ確認部１２６が確認する。従って、この実施の形態の帳票処理システム５００では、第１及び第２の実施の形態と比較して、より正確に帳票に対する文字認識を行うことができる。
【００６０】
ここで、既に説明したように、第２の実施の形態において、帳票画像処理装置１０４から出力される帳票画像及び印影除去帳票画像は、２値化処理された画像データであるため、第１の実施の形態と比較してデータ量が少なくなる。よって、この実施の形態の帳票処理システム５００の構成が、第２の実施の形態の帳票処理システムに画像処理データ確認部１２６が設けられている構成である場合、第１の実施の形態の帳票処理システム１００に画像処理データ確認部１２６が設けられている構成と比較して、帳票画像処理装置１０４と画像処理データ確認部１２６との間の、帳票画像及び印影除去帳票画像の転送速度を大きくすることができる。従って、この場合、帳票処理システム５００における、帳票画像処理装置１０４と画像処理データ確認部１２６との間の、帳票画像及び印影除去帳票画像の転送を、第１の実施の形態の帳票処理システムに画像処理データ確認部１２６が設けられている場合と比較して、より効率的に行うことができる。
【００６１】
［第４の実施の形態］
次に、この実施の形態の帳票処理システムに係る第４の実施の形態について説明する。
【００６２】
１．第４の実施の形態の帳票処理システムの構成
まず、この実施の形態の帳票処理システムの構成について説明する。この実施の形態の帳票処理システムは、第１の実施の形態の帳票処理システム１００と同様の構成を有している。よって、以下に説明する、この実施の形態の帳票処理システムの構成について、第１の実施の形態の帳票処理システム１００と同様の構成について、重複する説明を省略することもある。
【００６３】
また、この実施の形態の帳票の構成は、第１の実施の形態において、図３を参照して説明した帳票３００の構成と同様の構成を有している。よって、この実施の形態の帳票の構成について、第１の実施の形態と重複する説明は省略する。
【００６４】
図６を参照して、この実施の形態の帳票処理システム６００の構成について説明する。図６には、帳票処理システム６００の構成例を示してある。
【００６５】
この実施の形態の帳票処理システム６００において、図６に示すように、帳票画像入力装置２０２は、画像入力部２１８及び画像取得部２２０を含む帳票画像取り込み部２１０と、取得画像データ格納部２２６とを有している。帳票画像取り込み部２１０において、画像入力部２１８は、好ましくは、スキャナ等の画像入力手段を用いて構成するのが好適である。また、帳票画像取り込み部２１０の画像取得部２２０は、パソコン等のコンピュータにおける中央処理装置（ＣＰＵ）が果たす機能手段である。取得画像データ格納部２２６は、画像取得部２２０をＣＰＵの機能として有するコンピュータに設けられているメモリ（ＲＯＭ又はＲＡＭ等）によって構成されるか、もしくは、それ自体が独立した格納手段（例えばＲＯＭ又はＲＡＭ等で構成されるメモリ）として構成されるのが望ましい。ここで、この実施の形態の帳票画像入力装置２０２の構成について、以下の説明では、便宜上、画像取得部２２０を機能手段として動作するＣＰＵと、取得画像データ格納部２２６とは、同一のコンピュータに設けられているとする。
【００６６】
また、帳票画像処理装置２０４は、帳票画像入力装置２０２と、例えばネットワーク等を介して接続されており、かつ印影画像探索／除去部２１２と、文字認識部１１４と、画像処理データ出力部１１６とを含む中央処理部２０６と、画像格納部２０８とを有している。
【００６７】
帳票画像処理装置２０４は、パソコン等のコンピュータを用いて構成されるのが好ましい。また、中央処理部２０６として、帳票画像処理装置２０４が有するＣＰＵを用いるのが好適であり、中央処理部２０６が有する、印影画像探索／除去部２１２と、文字認識部１１４と、画像処理データ出力部１１６のそれぞれは、当該中央処理部２０６における機能手段であり、各機能は、プログラムで実行される。尚、このプログラムは、図６には図示しない帳票画像処理装置２０４のメモリ（ＲＯＭ等）に格納されているのが好ましい。
【００６８】
また、画像格納部２０８は、第１の実施の形態の画像格納部１０８と同様、所望の格納手段を用いて構成される。この格納手段はＲＯＭ又はＲＡＭ等のメモリとするのが望ましい。さらに、この実施の形態の帳票処理システム６００を実施するにあたり、第１の実施の形態と同様、帳票画像入力装置２０２と、帳票画像処理装置２０４とを含む構成をＯＣＲとするのが好ましい。
【００６９】
２．第４の実施の形態の帳票処理システムの動作
次に、この実施の形態の帳票処理システム６００の動作について説明する。この実施の形態では、図３に示す帳票３００に対して、帳票画像入力装置２０２及び帳票画像処理装置２０４を有するＯＣＲによって、文字認識が行われるとする。よって、図３を参照して説明した帳票３００の構成について、重複する説明は省略する。
【００７０】
また、この実施の形態の帳票３００に対する文字認識では、図２を参照して説明した、第１の実施の形態の処理と同様の処理が行われるのが好ましい。よって、この実施の形態における帳票３００に対する文字認識についても、図２に示すフローチャートを参照して説明する。尚、この実施の形態の帳票３００に対する文字認識の処理について、第１の実施の形態における処理と重複する説明は省略する。
【００７１】
（Ｓ２０１）まず、この実施の形態によれば、帳票画像入力装置２０２において、帳票処理システム６００への帳票３００の帳票画像の入力が、画像入力部２１８によって行われる。画像入力部２１８は、好ましくは、帳票３００の帳票画像を、画像取得部２２０を機能手段として有するＣＰＵが設けられたコンピュータに入力する。尚、帳票３００の帳票画像について、第１の実施の形態と重複する説明は省略する。
【００７２】
（Ｓ２０２）次に、画像取得部２２０は、画像入力部２１８から入力される帳票３００の帳票画像を取得画像データ格納部２２６に格納することによって取得する。
【００７３】
ここで、この実施の形態の帳票画像入力装置２０２には、図６に示すように、表示手段２２２及び入力手段２２４が接続されているのが好ましい。これら表示手段２２２及び入力手段２２４は、第１の実施の形態において、図１を参照して説明した表示手段１２２及び入力手段１２４と同様の構成及び動作を有するのが望ましい。尚、表示手段２２２及び入力手段２２４の、帳票画像入力装置２０２への接続は、これら表示手段２２２及び入力手段２２４を、画像取得部２２０を機能手段として有するＣＰＵが設けられたコンピュータに接続することによって行われるのが好適である。
【００７４】
そして、この実施の形態によれば、取得した帳票画像に対して、帳票３００の読取対象領域３１４に相当する画像領域の指定が、表示手段２２２、入力手段２２４、及び画像取得部２２０のそれぞれによって、第１の実施の形態と同様の手順で行われるのが好ましい。この実施の形態では、入力手段２２４から、画像取得部２２０を機能手段として有するＣＰＵが設けられたコンピュータに、帳票画像の、帳票３００の読取対象領域３１４に相当する画像領域の位置情報が入力される。この位置情報は、画像取得部２２０が、当該帳票画像と対応させて取得画像データ格納部２２６に格納する。
【００７５】
しかる後、画像取得部２２０は、帳票３００の帳票画像と、この帳票画像の、帳票３００の読取対象領域３１４に相当する画像領域の位置情報とを、取得画像データ格納部２２６から取り出す。そして、画像取得部２２０は、これら帳票画像及び位置情報を、帳票画像処理装置２０４に出力する。
【００７６】
（Ｓ２０３）その後、帳票画像処理装置２０４に入力された、帳票３００の帳票画像と、この帳票画像の、帳票３００の読取対象領域３１４に相当する画像領域の位置情報は、中央処理部２０６を介して画像格納部２０８に格納される。続いて、印影画像探索／除去部２１２によって、第１の実施の形態と同様の手順によって、印影画像探索領域に対する印影３１６の印影画像の探索が行われる。
【００７７】
そして、第１の実施の形態と同様、印影画像の探索の結果、印影画像探索／除去部２１２が印影画像を検出した後、後述するステップＳ２０４の処理が行われる。
【００７８】
また、この実施の形態の帳票処理システム６００においても、図３に示すように、捺印による印影３１６が存在する読取対象領域３１４を有する帳票３００のほか、捺印による印影が無い読取対象領域を有する帳票を用いることも可能である。この場合、第１の実施の形態において既に説明したように、上述した印影画像の探索では印影画像は検出されず、従って、後述するステップＳ２０５の処理が続いて行われる。
【００７９】
（Ｓ２０４）その後、印影画像探索／除去部２１２によって、第１の実施の形態と同様の手順によって、印影３１６の印影画像の除去が行われる。第１の実施の形態と同様、印影除去帳票画像４００は、印影画像探索／除去部２１２によって画像格納部２０８に格納される。尚、印影除去帳票画像４００について、第１の実施の形態と重複する説明は省略する。
【００８０】
（Ｓ２０５）続いて、文字認識部１１４によって、第１の実施の形態と同様の手順によって、図４に示す印影画像探索領域４０２に対する文字認識処理が行われ、当該文字認識部１１４から認識結果が出力される。
【００８１】
（Ｓ２０６）しかる後、画像処理データ出力部１１６は、第１の実施の形態と同様の手順によって、帳票画像及び印影除去帳票画像のいずれか一方もしくは双方を画像格納部２０８から取り出して出力するとともに、文字認識部１１４から入力される認識結果を出力する。その後、この実施の形態における帳票処理システムにおいて、帳票３００の読取対象領域３１４に対する文字認識が終了される。尚、この実施の形態によれば、画像処理データ出力部１１６におけるデータの出力について、第１の実施の形態と同様、既に説明した（イ）〜（ロ）の３つの場合があり得るが、これら（イ）〜（ロ）の３つの場合のいずれを選択するかは、当業者が成し得る設計事項である。
【００８２】
従って、以上説明したこの実施の形態の帳票処理システムによれば、第１の実施の形態の帳票処理システムと同様の作用により、同様の効果を得ることができる。
【００８３】
［第５の実施の形態］
この発明の帳票処理システムに係る第５の実施の形態について説明する。この実施の形態では、第４の実施の形態の帳票処理システム６００において、図２を参照して説明したステップＳ２０２の処理で、画像取得部２２０によって２値化処理が行われる。画像取得部２２０は、この２値化処理を、第２の実施の形態で説明した手順と同様の手順によって行うのが好ましい。尚、この実施の形態における２値化処理について、第２の実施の形態と同様の説明は省略する。
【００８４】
この実施の形態によれば、２値化処理は、画像入力部２１８から入力される帳票画像に対して行われ、２値化帳票画像は、画像取得部２２０によって取得画像データ格納部２２６に格納される。その後、ステップＳ２０２の処理において、画像取得部２２０は、２値化帳票画像と、この２値化帳票画像の、帳票３００の読取対象領域３１４に相当する画像領域の位置情報とを、取得画像データ格納部２２６から取り出して、これら帳票画像と位置情報とを帳票画像処理装置２０４に出力する。
【００８５】
また、この実施の形態では、図２を参照して説明したステップＳ２０３の処理において、帳票画像処理装置２０４に入力された、２値化帳票画像と、この２値化帳票画像の、帳票３００の読取対象領域３１４に相当する画像領域の位置情報は、中央処理部２０６を介して画像格納部２０８に格納される。そして、印影画像探索／除去部２１２は、画像格納部２０８から、２値化帳票画像、及びこの２値化帳票画像の、帳票３００の読取対象領域３１４に相当する画像領域の位置情報を読みだして、２値化帳票画像に対する印影３１６の印影画像の探索を、印影の形状に関する情報に基づいて行う。
【００８６】
従って、この実施の形態の帳票処理システムでは、第４の実施の形態と同様の作用及び効果を得ることができる。また、既に説明したように、２値化帳票画像のデータ量は、２値化処理が成されていない帳票画像のデータ量、すなわち第４の実施の形態の帳票画像のデータ量と比較して少なくなる。よって、既に説明した第２の実施の形態と同様、第４の実施の形態と比較して、画像格納部２０８により多くの帳票画像及び印影除去帳票画像を格納することができ、その結果、この実施の形態の帳票処理システムは、第４の実施の形態よりも多くの帳票の処理を行うことができる。従って、この実施の形態によれば、第４の実施の形態と比較して、帳票処理システムにおける帳票の処理をより効率的に行うことができる。
【００８７】
［第６の実施の形態］
この発明の帳票処理システムに係る第６の実施の形態について説明する。この実施の形態によれば、第４及び第５の実施の形態の帳票処理システムにおいて、画像処理データ確認部を、帳票画像処理装置２０４に接続して設けてある。図７には、この実施の形態の帳票処理システム７００について、帳票画像処理装置２０４に画像処理データ確認部２６０を接続してある構成を示してある。この画像処理データ確認部２６０は、図５を参照して説明した、第３の実施の形態の画像処理データ確認部１２６と同様の構成及び動作を有するのが好ましい。よって、この実施の形態の画像処理データ確認部２６０について、第３の実施の形態と重複する説明は省略する。
【００８８】
従って、この実施の形態では、第４及び第５の実施の形態と同様の作用及び効果を得ることができる。また、この実施の形態では、帳票画像処理装置２０４から出力される認識結果の正誤について、画像処理データ確認部２６０が確認するため、第４及び第５の実施の形態と比較して、より正確に帳票に対する文字認識を行うことができる。
【００８９】
また、上述したように、２値化帳票画像のデータ量は、２値化処理が成されていない帳票画像のデータ量と比較して少なくなる。よって、この実施の形態の帳票処理システムの構成が、第５の実施の形態の帳票処理システムに画像処理データ確認部２６０が設けられている構成である場合、第４の実施の形態の帳票処理システム６００に画像処理データ確認部２６０が設けられている構成と比較して、帳票画像処理装置２０４と画像処理データ確認部２６０との間の、帳票画像及び印影除去帳票画像の転送速度を大きくすることができる。従って、この場合、帳票処理システム７００における、帳票画像処理装置２０４と画像処理データ確認部２６０との間の、帳票画像及び印影除去帳票画像の転送を、第４の実施の形態の帳票処理システム６００に画像処理データ確認部２６０が設けられている場合と比較して、より効率的に行うことができる。
【００９０】
［第７の実施の形態］
次に、この発明の帳票処理システムに係る第７の実施の形態について説明する。この実施の形態によれば、第４〜第６の実施の形態の帳票処理システムにおいて、帳票画像入力装置２０２にも、印影画像探索／除去部と、文字認識部と、画像処理データ出力部と、画像格納部が設けられている。これら印影画像探索／除去部と、文字認識部と、画像処理データ出力部と、画像格納部のそれぞれは、図６及び図７を参照して説明した、印影探索／除去部２１２と、文字認識部１１４と、画像処理データ出力部１１６と、画像格納部２０８のそれぞれと同様の構成及び機能を有する。
【００９１】
この実施の形態によれば、帳票画像入力装置において、好ましくは、印影画像探索／除去部と、文字認識部と、画像処理データ出力部は、画像取得部２２０とともに、コンピュータのＣＰＵの機能手段として設けられている。そして、このコンピュータのメモリ（ＲＯＭ又はＲＡＭ等）として、画像格納部が、帳票画像入力装置に設けられているのが望ましい。この場合、画像格納部と取得画像データ格納部２２６とは同一のメモリを用いて構成されてもよいし、それぞれが独立した格納手段（例えばＲＯＭ又はＲＡＭ等で構成されるメモリ）として構成されてもよい。
【００９２】
上述したように、同一のコンピュータに、画像取得部２２０と、印影画像探索／除去部と、文字認識部と、画像処理データ出力部とを含むＣＰＵと、画像格納部とが設けられる場合、このコンピュータは、図１を参照して説明した帳票画像処理装置１０４と同様の構成となり、かつ同様の機能を有することとなる。
【００９３】
従って、この実施の形態によれば、第４〜第６の実施の形態と同様の作用及び効果を得ることができる。さらに、上述したように、この実施の形態の帳票処理システムでは、帳票画像入力装置を、第１の実施の形態の帳票画像処理装置１０４と同様の構成及び機能を有するコンピュータを含む構成とすることができる。また、既に説明したように、この帳票画像入力装置は、帳票画像処理装置２０４に接続されている。よって、この実施の形態によれば、帳票画像入力装置及び帳票画像処理装置２０４のそれぞれにおいて、既に説明したような帳票処理を行うことができる。その結果、この実施の形態の帳票処理システムでは、第４〜第６の実施の形態と比較して、帳票処理の効率をさらに向上させることができる。
【００９４】
【発明の効果】
上述したこの発明の帳票処理システムでは、印影画像探索／除去部が、帳票画像中の、帳票の読取対象領域に相当する画像領域に存在する、捺印による印影の印影画像を探索し、かつ除去した後、印影除去帳票画像を用いて文字認識部で文字認識が行われる。その結果、以上説明したこの発明の帳票処理システムにおいて、ＯＣＲを用いて文字認識を行う場合も、帳票の読取対象領域の捺印による印影が文字と誤って認識される事態が生じないため、文字認識を正しく行うことができる。
【００９５】
また、この発明の帳票処理システムでは、画像処理データ出力部から、認識結果及び印影除去帳票画像とともに、帳票画像を得ることが可能である。従って、この発明の帳票処理システムによれば、帳票の読取対象領域の捺印による印影の確認を、画像処理データ出力部から、当該帳票に対応する帳票画像を得ることによって行うことも可能である。すなわち、この発明の帳票処理システムは、読取対象領域に捺印による印影を有する帳票の帳票画像に対して文字認識を行うことができ、かつ帳票の読取対象領域の捺印による印影の確認も可能な利便性の高いシステムということができる。
【図面の簡単な説明】
【図１】第１の実施の形態の帳票処理システムの構成例を説明するための図である。
【図２】この発明の帳票処理システムにおける帳票処理を説明するためのフローチャートを示す図である。
【図３】この発明の帳票処理システムにおける帳票の構成例を説明するための図である。
【図４】この発明の帳票処理システムにおける印影除去帳票画像の構成例を説明するための図である。
【図５】第３の実施の形態の帳票処理システムの構成例を説明するための図である。
【図６】第４の実施の形態の帳票処理システムの構成例を説明するための図である。
【図７】第６の実施の形態の帳票処理システムの構成例を説明するための図である。
【符号の説明】
１００、５００、６００、７００：帳票処理システム
１０２、２０２：帳票画像入力装置
１０４、２０４：帳票画像処理装置
１０６、２０６：中央処理部
１０８、２０８：画像格納部
１１０、２１０：帳票画像取り込み部
１１２、２１２：印影画像探索／除去部
１１４：文字認識部
１１６：画像処理データ出力部
１１８、２１８：画像入力部
１２０、２２０：画像取得部
１２２、２２２：表示手段
１２４、２２４：入力手段
１２６、２６０：画像処理データ確認部
２２６：取得画像データ格納部
３００：帳票
３０４：第１の領域
３０６：第２の領域
３０８：第３の領域
３１０：第４の領域
３１２：第５の領域
３１４：第６の領域
３１６：印影
３１８：第７の領域
４００：印影除去帳票画像
４０２：印影画像探索領域
４０４：枠画像
【図１】
2004280530.tif 000003
【図２】
2004280530.tif 000004
【図３】
2004280530.tif 000005
【図４】
2004280530.tif 000006
【図５】
2004280530.tif 000007
【図６】
2004280530.tif 000008
【図７】
2004280530.tif 000009